(57)【要約】【課題】ユーザが希望するアプリケーションを簡単な操作で起動することが可能な電子機器を提供する。【解決手段】電子機器は、第１の表示部と、第１の表示部の配置面の背面に設置された第２の表示部と、第１の回転軸を中心とした筐体の回転移動を検出する回転移動検出部と、操作検出部と、起動処理選択部と、表示制御部と、を備える。操作検出部は、回転移動検出部の検出結果に基づき、筐体が裏返る回転操作を検出すると共に、筐体が第１の方向に回転したか、又は、筐体が第２の方向に回転したか、を検出する。起動処理選択部は、操作検出部が、第１の方向への回転を伴った第１の回転操作を検出した場合には、第１の処理を実行し、第１の方向とは異なる第２の方向への回転を伴った第２の回転操作を検出した場合には、第２の処理を実行する。表示制御部は、第１又は第２の処理に関連した表示を、筐体が回転した後の第２の表示部に行う。【選択図】図１
2013258620.tif 000002
【特許請求の範囲】
【請求項１】
第１の表示部と、
前記第１の表示部の配置面の背面に設置された第２の表示部と、
第１の回転軸を中心とした筐体の回転移動を検出する回転移動検出部と、
前記回転移動検出部の検出結果に基づき、前記筐体が回転する前の前記第１の表示部の表示方向と、前記筐体が回転した後の方向と同一方向に前記第２の表示部の表示方向が向く回転操作を検出すると共に、前記筐体が前記第１の回転軸を中心とした第１の方向に回転したか、又は、前記筐体が前記第１の回転軸を中心かつ前記第１の方向とは異なる第２の方向に回転したか、を検出する操作検出部と、
前記操作検出部が、前記第１の方向への回転を伴った第１の回転操作を検出した場合には、第１の処理を実行し、
前記操作検出部が、前記第２の方向への回転を伴った第２の回転操作を検出した場合には、第２の処理を実行する起動処理選択部と、
前記第１又は第２の処理に関連した表示を、前記筐体が回転した後の前記第２の表示部に行う表示制御部と、
を備えることを特徴とする電子機器。
【請求項２】
前記第１又は第２の処理には、アプリケーションの起動、待ち受け画面の切り替え、同一アプリケーションでの表示内容の切り替え、メニュー画面への遷移、セキュリティロック画面の表示、のうち少なくともいずれかを含む請求項１の電子機器。
【請求項３】
前記起動処理選択部は、
前記操作検出部が、前記第１の回転操作を検出するたびに、予め定められた第１の順序に従って、アプリケーションを起動する請求項１又は２の電子機器。
【請求項４】
前記起動処理選択部は、
前記操作検出部が、前記第２の回転操作を検出するたびに、前記第１の順序の逆の順序で、アプリケーションを起動する請求項３の電子機器。
【請求項５】
前記起動処理選択部は、
前記第１又は第２の表示部に表示されたアプリケーションに関連付けられた画像の表示位置に応じて、起動するアプリケーションを決定する請求項１乃至４のいずれか一に記載の電子機器。
【請求項６】
前記起動処理選択部は、ユーザによるアプリケーションの起動に関する履歴情報に基づき、起動するアプリケーションを決定する請求項１乃至５のいずれか一に記載の電子機器。
【請求項７】
前記表示制御部は、前記筐体が回転した後の前記第１の表示部の表示を消去する請求項１乃至６のいずれか一に記載の電子機器。
【請求項８】
前記回転移動検出部は、
前記第１の回転軸を中心とした前記筐体の回転移動の検出に加え、前記第１の表示部と平行、かつ、前記第１の回転軸と直交する第２の回転軸を中心とした前記筐体の回転移動を検出し、
起動処理選択部は、前記筐体が、前記第１又は第２の回転軸を中心とした回転であるかと、前記第１又は第２の方向と、の組み合わせよって定まる回転操作に基づき、実行する処理を決定する請求項１乃至７のいずれか一に記載の電子機器。
【請求項９】
第１の表示部と、
前記第１の表示部の配置面の背面に設置された第２の表示部と、
第１の回転軸を中心とした筐体の回転移動を検出する回転移動検出部と、
を備える電子機器の制御方法であって、
前記回転移動検出部の検出結果に基づき、前記筐体が回転する前の前記第１の表示部の表示方向と、前記筐体が回転した後の方向と同一方向に前記第２の表示部の表示方向が向く回転操作を検出する回転操作検出工程と、
前記筐体が前記第１の回転軸を中心とした第１の方向に回転したか、又は、前記筐体が前記第１の回転軸を中心かつ前記第１の方向とは異なる第２の方向に回転したか、を検出する回転方向検出工程と、
前記第１の方向への回転を伴った第１の回転操作が検出された場合には、第１の処理を実行し、前記第２の方向への回転を伴った第２の回転操作を検出した場合には、第２の処理を実行する起動処理選択工程と、
前記第１又は第２の処理に関連した表示を、前記筐体が回転した後の前記第２の表示部に行う表示制御工程と、
を含むことを特徴とする電子機器の制御方法。
【請求項１０】
第１の表示部と、
前記第１の表示部の配置面の背面に設置された第２の表示部と、
第１の回転軸を中心とした筐体の回転移動を検出する回転移動検出部と、
を備える電子機器を制御するコンピュータに実行させるプログラムであって、
前記回転移動検出部の検出結果に基づき、前記筐体が回転する前の前記第１の表示部の表示方向と、前記筐体が回転した後の方向と同一方向に前記第２の表示部の表示方向が向く回転操作を検出する回転操作検出処理と、
前記筐体が前記第１の回転軸を中心とした第１の方向に回転したか、又は、前記筐体が前記第１の回転軸を中心かつ前記第１の方向とは異なる第２の方向に回転したか、を検出する回転方向検出処理と、
前記第１の方向への回転を伴った第１の回転操作が検出された場合には、第１の処理を実行し、前記第２の方向への回転を伴った第２の回転操作を検出した場合には、第２の処理を実行する起動処理選択処理と、
前記第１又は第２の処理に関連した表示を、前記筐体が回転した後の前記第２の表示部に行う表示制御処理と、
を実行するプログラム。
【発明の詳細な説明】
【技術分野】
【０００１】
本発明は、電子機器、その制御方法及びプログラムに関する。特に、少なくとも２つの表示面を備える電子機器、その制御方法及びプログラムに関する。
【背景技術】
【０００２】
近年、携帯電話、スマートフォン、ゲーム機、タブレットＰＣ（Personal Computer）、ノートＰＣ、ＰＤＡ（Personal Data Assistants；携帯情報端末）等の電子機器における高機能化が著しい。このような電子機器には、通話機能や電子メール機能だけではなく、スケジュール管理機能、画像撮影機能等、数多くの機能が実装されている。このような機能は、それぞれの機能に関連付けられたアプリケーションを起動することで実現される。
【０００３】
ユーザが、これらの電子機器で実現できる機能の中から希望する機能を起動しようとする場合には、煩雑な操作が必要となる場合も少なくない。例えば、あるアプリケーションを実行している最中に、異なるアプリケーションを起動しようとする場合には、以下のような複数の手順が必要となる。
【０００４】
初めに、タッチパネル等を操作することにより、待ち受け画面（ＨＯＭＥ画面）に遷移する。その後、アプリケーション選択のメニューを開く。さらに、アプリケーション選択のメニューにより提示され所望の機能に関連づけられたアイコン等を選択する。このような手順を経ることで、ユーザが希望する機能の実現（アプリケーションの実行）が行える。
【０００５】
ここで、特許文献１において、２つの表示画面を持つ携帯電子機器において、携帯電子機器を裏返すことで起動するアプリケーションを切り替える技術が開示されている。また、特許文献２において、表示画面を持つ筐体のスライドが可能な携帯端末において、表示画面の筐体をスライドする方向に応じてアプリケーションを切り替える技術が開示されている。
【先行技術文献】
【特許文献】
【０００６】
【特許文献１】特開２０１１−１６６６３０号公報
【特許文献２】国際公開第２００９／０８４０８８号
【発明の概要】
【発明が解決しようとする課題】
【０００７】
なお、上記先行技術文献の各開示を、本書に引用をもって繰り込むものとする。以下の分析は、本発明者らによってなされたものである。
【０００８】
上述したように、近年の電子機器は高機能化が著しい。そのため、１台の電子機器に多数のアプリケーションがインストールされている。このような状況の下、特許文献１や２が開示する技術では、ユーザが希望するアプリケーションを即座に起動できないという問題が生じる。より詳細には、特許文献１が開示するように、携帯電子機器を裏返すたびに起動するアプリケーションを切り替えるだけでは、インストールされているアプリケーションの数の分だけ、携帯電子機器を裏返さなければならない可能性がある。
【０００９】
特許文献２が開示する技術でも同様であり、単に筐体をスライドさせた際に起動するアプリケーションを切り替えるだけでは、多くの操作（筐体のスライド）が必要となる。そのため、ユーザが希望するアプリケーションを簡単な操作で起動することが可能な電子機器、その制御方法及びプログラムが、望まれる。
【課題を解決するための手段】
【００１０】
本発明の第１の視点によれば、第１の表示部と、前記第１の表示部の配置面の背面に設置された第２の表示部と、第１の回転軸を中心とした筐体の回転移動を検出する回転移動検出部と、前記回転移動検出部の検出結果に基づき、前記筐体が回転する前の前記第１の表示部の表示方向と、前記筐体が回転した後の方向と同一方向に前記第２の表示部の表示方向が向く回転操作を検出すると共に、前記筐体が前記第１の回転軸を中心とした第１の方向に回転したか、又は、前記筐体が前記第１の回転軸を中心かつ前記第１の方向とは異なる第２の方向に回転したか、を検出する操作検出部と、前記操作検出部が、前記第１の方向への回転を伴った第１の回転操作を検出した場合には、第１の処理を実行し、前記操作検出部が、前記第２の方向への回転を伴った第２の回転操作を検出した場合には、第２の処理を実行する起動処理選択部と、前記第１又は第２の処理に関連した表示を、前記筐体が回転した後の前記第２の表示部に行う表示制御部と、を備える電子機器が提供される。
【００１１】
本発明の第２の視点によれば、第１の表示部と、前記第１の表示部の配置面の背面に設置された第２の表示部と、第１の回転軸を中心とした筐体の回転移動を検出する回転移動検出部と、を備える電子機器の制御方法であって、前記回転移動検出部の検出結果に基づき、前記筐体が回転する前の前記第１の表示部の表示方向と、前記筐体が回転した後の方向と同一方向に前記第２の表示部の表示方向が向く回転操作を検出する回転操作検出工程と、前記筐体が前記第１の回転軸を中心とした第１の方向に回転したか、又は、前記筐体が前記第１の回転軸を中心かつ前記第１の方向とは異なる第２の方向に回転したか、を検出する回転方向検出工程と、前記第１の方向への回転を伴った第１の回転操作が検出された場合には、第１の処理を実行し、前記第２の方向への回転を伴った第２の回転操作を検出した場合には、第２の処理を実行する起動処理選択工程と、前記第１又は第２の処理に関連した表示を、前記筐体が回転した後の前記第２の表示部に行う表示制御工程と、を含む電子機器の制御方法が提供される。
【００１２】
本発明の第３の視点によれば、第１の表示部と、前記第１の表示部の配置面の背面に設置された第２の表示部と、第１の回転軸を中心とした筐体の回転移動を検出する回転移動検出部と、を備える電子機器を制御するコンピュータに実行させるプログラムであって、前記回転移動検出部の検出結果に基づき、前記筐体が回転する前の前記第１の表示部の表示方向と、前記筐体が回転した後の方向と同一方向に前記第２の表示部の表示方向が向く回転操作を検出する回転操作検出処理と、前記筐体が前記第１の回転軸を中心とした第１の方向に回転したか、又は、前記筐体が前記第１の回転軸を中心かつ前記第１の方向とは異なる第２の方向に回転したか、を検出する回転方向検出処理と、前記第１の方向への回転を伴った第１の回転操作が検出された場合には、第１の処理を実行し、前記第２の方向への回転を伴った第２の回転操作を検出した場合には、第２の処理を実行する起動処理選択処理と、前記第１又は第２の処理に関連した表示を、前記筐体が回転した後の前記第２の表示部に行う表示制御処理と、を実行するプログラムが提供される。
なお、このプログラムは、コンピュータが読み取り可能な記憶媒体に記録することができる。記憶媒体は、半導体メモリ、ハードディスク、磁気記録媒体、光記録媒体等の非トランジェント（ｎｏｎ−ｔｒａｎｓｉｅｎｔ）なものとすることができる。本発明は、コンピュータプログラム製品として具現することも可能である。
【発明の効果】
【００１３】
本発明の各視点によれば、ユーザが希望するアプリケーションを簡単な操作で起動することが可能な電子機器、その制御方法及びプログラムが、提供される。
【図面の簡単な説明】
【００１４】
【図１】一実施形態の概要を説明するための図である。
【図２】第１の実施形態に係る電子機器１の正面図の一例を示す図である。
【図３】電子機器１の側面図の一例を示す図である。
【図４】電子機器１の内部構成の一例を示す図である。
【図５】制御部６０の内部構成の一例を示す図である。
【図６】電子機器１を含む座標系を説明するための図である。
【図７】起動処理登録情報の一例を示す図である。
【図８】電子機器１の動作の一例を示すフローチャートである。
【図９】待ち受け画面の領域を分割する一例を示す図である。
【図１０】待ち受け画面位置指定情報の一例を示す図である。
【図１１】第２の実施形態に係る電子機器２の待ち受け画面を説明するための図である。
【図１２】待ち受け画面位置指定情報の一例を示す図である。
【図１３】使用履歴情報の一例を示す図である。
【図１４】第３の実施形態に係る電子機器３の表示内容の一例を示す図である。
【発明を実施するための形態】
【００１５】
初めに、図１を用いて一実施形態の概要について説明する。なお、この概要に付記した図面参照符号は、理解を助けるための一例として各要素に便宜上付記したものであり、この概要の記載はなんらの限定を意図するものではない。
【００１６】
上述したように、１台の電子機器に多数のアプリケーションがインストールされている。このような状況の下、ユーザが希望するアプリケーションを簡単な操作で起動することが可能な電子機器が、望まれる。
【００１７】
そこで、一例として図１に示す電子機器２００を提供する。電子機器２００は、第１の表示部２０１と、第１の表示部２０１の配置面の背面に設置された第２の表示部２０２と、第１の回転軸を中心とした筐体の回転移動を検出する回転移動検出部２０３と、操作検出部２０４と、起動処理選択部２０５と、表示制御部２０６と、を備える。操作検出部２０４は、回転移動検出部２０３の検出結果に基づき、筐体が回転する前の第１の表示部２０１の表示方向と、筐体が回転した後の方向と同一方向に第２の表示部２０２の表示方向が向く回転操作を検出すると共に、筐体が第１の回転軸を中心とした第１の方向に回転したか、又は、筐体が第１の回転軸を中心かつ第１の方向とは異なる第２の方向に回転したか、を検出する。起動処理選択部２０５は、操作検出部２０４が、第１の方向への回転を伴った第１の回転操作を検出した場合には、第１の処理を実行し、第１の方向とは異なる第２の方向への回転を伴った第２の回転操作を検出した場合には、第２の処理を実行する。表示制御部２０６は、第１又は第２の処理に関連した表示を、筐体が回転した後の第２の表示部２０２に行う。
【００１８】
電子機器２００は、ユーザが筐体を裏返す操作を検出すると共に、第１の方向（例えば、右方向）に回して裏返したのか、第２の方向（例えば、左方向）に回して裏返したのか、を検出する。さらに、起動処理選択部２０５は、第１の方向に回して筐体が裏返った場合には、第１の処理（例えば、アプリケーションＡの起動）を実行し、第２の方向に回して筐体が裏返った場合には第２の処理（例えば、アプリケーションＡとは異なるＢの起動）を実行する。即ち、筐体を裏返すという簡単な操作により、２つの異なる処理を実行できるため、多数のアプリケーションがインストールされている場合であっても、ユーザが希望するアプリケーションを即座に起動することができる。
【００１９】
［第１の実施形態］
第１の実施形態について、図面を用いてより詳細に説明する。
【００２０】
図２は、本実施形態に係る電子機器１の正面図の一例を示す図である。図３は、電子機器１の側面図の一例を示す図である。
【００２１】
電子機器１は、第１の表示デバイス１０及び第２の表示デバイス２０を備えている。これらの表示デバイスは、図３から明らかな通り、筐体の表裏に配置されている。つまり、第１の表示デバイス１０の配置面の背面に第２の表示デバイス２０は設置されている。
【００２２】
ユーザは、第１の表示デバイス１０を視認しながら電子機器１を操作することが可能であり、又は、第２の表示デバイス２０を視認しながら電子機器１を操作することも可能である。以降の説明では、第１の表示デバイス１０が配置された面を表面、第２の表示デバイス２０が配置された面を裏面とする。
【００２３】
第１の表示デバイス１０及び第２の表示デバイス２０には、液晶パネルや有機エレクトロルミネッセンスパネル等の使用が想定されるが、これらの表示デバイスに限定されないことは勿論である。第１の表示デバイス１０及び第２の表示デバイス２０は、画像信号を表示できる表示デバイスであれば、どのような表示デバイスでもよい。但し、これらの表示デバイスは同等の性能、及び、同等の表示面積（表示エリア）を備えることが望ましい。なお、電子機器１は、２つの表示デバイスを備えるが、１つの表示デバイスにおいて、その表面と裏面で異なる表示が可能なデバイスの開発がなされれば、そのような表示デバイスを使用することも可能である。
【００２４】
図４は、電子機器１の内部構成の一例を示す図である。
【００２５】
電子機器１は、第１の表示デバイス１０と、第２の表示デバイス２０と、第１の表示ドライバ１１と、第２の表示ドライバ２１と、操作部３０と、角速度センサ４０と、記憶部５０と、制御部６０と、を含んで構成されている。
【００２６】
第１の表示デバイス１０及び第２の表示デバイス２０は、上述の通りであるので、さらなる説明を省略する。第１の表示ドライバ１１及び第２の表示ドライバ２１は、それぞれ、第１の表示デバイス１０及び第２の表示デバイス２０を駆動するドライバ回路として機能する。第１の表示ドライバ１１及び第２の表示ドライバ２１は、制御部６０から画像信号の供給を受け、対応する表示デバイスの駆動を行う。
【００２７】
操作部３０は、ユーザの電子機器１に対する操作を受け付ける。操作部３０は、タッチパネルやハードウエアキーで構成することが可能である。
【００２８】
角速度センサ４０は、電子機器１における角速度の変化を検出する。角速度センサ４０は、１軸の角速度の変化が検出可能である。角速度センサ４０は、検出した角速度を制御部６０に出力する。角速度センサ４０が上述の回転移動検出部２０３に相当する。
【００２９】
記憶部５０は、電子機器１の動作に必要な情報を記憶する。また、電子機器１にインストールされたアプリケーションを記憶するのも記憶部５０である。
【００３０】
制御部６０は、電子機器１の全体及び図４に示す各部の制御を行う。図５は、制御部６０の内部構成の一例を示す図である。制御部６０は、操作検出部１０１と、起動処理選択部１０２と、表示制御部１０３と、を含んで構成されている。
【００３１】
操作検出部１０１は、角速度センサ４０の出力に基づき、電子機器１の筐体が回転する前の第１の表示デバイス１０の表示方向と、筐体が回転した後の方向と同一方向に第２の表示デバイス２０の表示方向が向く回転操作を検出する。つまり、操作検出部１０１は、ユーザが電子機器１を裏返す操作の検出が可能である。なお、この場合の第１の表示デバイス１０と第２の表示デバイス２０とが、「同一方向に向く」とは、実質的に同一方向に向く（ほぼ同一方向に向く）と解釈すべき事は当然である。
【００３２】
操作検出部１０１は、電子機器１の表裏の状態だけではなく、その状態に至る経過を角速度センサ４０の出力から把握する。操作検出部１０１は、角速度センサ４０の出力を積分することで電子機器１の回転角度を算出する。より具体的には、操作検出部１０１は、ユーザが表面（第１の表示デバイス１０）を見て電子機器１を操作しているのか、裏面（第２の表示デバイス２０）を見て操作しているのか、を算出する。さらに、操作検出部１０１は、当該操作状態に至る経過を、角速度センサ４０の出力から算出する。
【００３３】
図６は、電子機器１を含む座標系を説明するための図である。図６では、第１の表示デバイス１０の短辺方向に平行な軸をＸ軸とする。さらに、第１の表示デバイス１０と平行かつＸ軸と直交する軸をＹ軸、Ｘ軸及びＹ軸と直交する軸をＺ軸とする。電子機器１に含まれる角速度センサ４０は、Ｙ軸回りの回転の検出が可能となるように電子機器１の内部に配置する。
【００３４】
角速度センサ４０は、図６に示す第１の方向に電子機器１が回転した場合には、正の値を出力し、第２の方向に回転した場合には、負の値を出力するように配置される。操作検出部１０１は、角速度センサ４０の出力において、正の値が継続して現在の操作状態に到達したのか、負の値が継続して現在の操作状態に到達したのか把握することができる。つまり、操作検出部１０１は、第１の方向への回転を伴って現在の状態に遷移したのか、第１の方向とは異なる第２の方向への回転を伴って現在の状態に遷移したのか、を検出することができる。
【００３５】
なお、正の値が継続する場合を右回り、負の値が継続する場合を左回りとする。また、ユーザが電子機器１を右回りに回し、表示面を裏返す操作を右方向裏返し操作とする。同様に、ユーザが電子機器１を左回りに回し、表示面を裏返す操作を左方向裏返し操作とする。さらに、電子機器１がアプリケーションを実行し、その実行に伴う表示を表面（第１の表示デバイス１０）で行う状態を、「アプリケーションを表面で実行する」とする。同様に、電子機器１がアプリケーションを実行し、その実行に伴う表示を裏面（第２の表示デバイス２０）で行う状態を、「アプリケーションを裏面で実行する」とする。
【００３６】
操作検出部１０１は、ユーザによる右方向裏返し操作、又は、左方向裏返し操作を検出した場合には、検出結果を起動処理選択部１０２に出力する。起動処理選択部１０２は、操作検出部１０１が検出したユーザの操作（右方向裏返し操作又は左方向裏返し操作）に基づき、起動するアプリケーションを決定する。その際、起動処理選択部１０２は、記憶部５０が記憶する起動処理登録情報を参照し、起動するアプリケーションを決定する。
【００３７】
図７は、起動処理登録情報の一例を示す図である。図７の起動処理登録情報は、電子機器１にインストールされているアプリケーションの一覧から作成する情報である。図７から、５種類のアプリケーションがインストールされていることが分かる。
【００３８】
起動処理登録情報は、操作検出部１０１が右方向裏返し操作を検出した場合に起動するアプリケーションの順序を規定する情報である。例えば、起動処理登録情報には、項目Ｎｏ．３のゲームソフトを表面で実行していた場合に、操作検出部１０１が右方向裏返し操作を検出した場合、項目Ｎｏ．４のカメラを起動することが記載されている。起動処理選択部１０２は、起動処理登録情報を参照することで、右方向裏返し操作時に起動するアプリケーションを決定する。一方、操作検出部１０１が左方向裏返し操作を検出した場合には、起動処理選択部１０２は右方向裏返し操作前に実行していたアプリケーションを起動する。
【００３９】
以上のように、起動処理選択部１０２は、操作検出部１０１が右方向裏返し操作を検出するたびに、予め定められた順序に従って、起動するアプリケーションを決定する。さらに、起動処理選択部１０２は、操作検出部１０１が、左方向裏返し操作を検出するたびに、上述の予め定められた順序とは逆の順序で、アプリケーションを起動する。
【００４０】
即ち、ユーザが右方向裏返し操作によって、順次、アプリケーションを切り替えた後、左方向裏返し操作を受け取った場合には、起動処理選択部１０２は、その切り替えを巻き戻すように起動するアプリケーションを決定する。例えば、ブラウザソフト（図７の項目Ｎｏ．２）を実行中に、ユーザが電子機器１を右方向に３回裏返した場合には、ゲームソフト、カメラ、スケジュール管理ソフトの順にアプリケーションが起動する。一方、上記の操作後、スケジュール管理ソフトを実行中に、左方向に２回裏返した場合には、ゲームソフトを起動する。
【００４１】
このように、起動処理選択部１０２は、操作検出部１０１が検出するユーザの操作（右方向裏返し操作と左方向裏返し操作）と、起動処理登録情報と、に基づいて起動するアプリケーションを決定する。なお、起動処理選択部１０２は、項目Ｎｏ．５（図７における下限）のスケジュール管理ソフトを実行中に、右方向裏返し操作を検出した場合には、項目Ｎｏ．１のメールソフトを起動する。同様に、項目Ｎｏ．１（図７における上限）のメールソフトを実行に、左方向裏返し操作を検出した場合には、項目Ｎｏ．５のスケジュール管理ソフトを起動する。
【００４２】
また、ユーザは必ずしも電子機器１を裏返すことによりアプリケーションを起動するとは限らない。待ち受け画面に遷移した後、インストールされたアプリケーションの一覧を表示し、起動するアプリケーションを選択するかもしれない。このような場合には、電子機器１は記憶部５０に起動したアプリケーションの履歴を記憶しておき、操作検出部１０１が左方向裏返し操作を検出した場合に、起動処理選択部１０２は履歴を遡るようにアプリケーションを起動してもよい。
【００４３】
電子機器１は、ユーザが起動処理登録情報を確認し、その内容を変更できるインターフェイス（例えば、メニュー画面）を備えることが望ましい。即ち、ユーザは、起動処理登録情報を確認することで、どのような順序でアプリケーションが起動するのか把握できることが望ましい。さらに、ユーザが望む順序でアプリケーションの起動を決定できることが望ましい。
【００４４】
表示制御部１０３は、起動処理選択部１０２がユーザの操作に基づいて決定したアプリケーションの表示を行う表示デバイスの制御を行う。即ち、表示制御部１０３は、起動処理選択部１０２が決定したアプリケーションに関連した表示を、筐体が回転した後の表示デバイスに行う制御を実現する。例えば、表示制御部１０３は、第１の表示デバイス１０（表面）でゲームソフトの表示を行っている状態で、操作検出部１０１が左方向裏返し操作を検出した場合には、ブラウザ表示を第２の表示デバイス２０（裏面）で行う制御を、第２の表示ドライバ２１に対して行う。その際、制御部６０は、遷移前に実行していたアプリケーションを終了してもよいし、継続してもよい。
【００４５】
また、制御部６０は、遷移前に実行していたアプリケーションに中断の機能が存在すれば、表面で実行していたアプリケーションを中断してもよい。その際には、起動処理選択部１０２は、起動処理登録情報に従って新たなアプリケーションを起動するのでは無く、中断したアプリケーションを再起動することも可能である。例えば、操作検出部１０１が右方向裏返し操作を検出した際に、表面でゲームソフトを実行していた場合、制御部６０は、ゲームソフトの実行を中断し、次のアプリケーション（図７ではカメラ）を裏面で実行する。その後、起動処理選択部１０２は、操作検出部１０１が左方向裏返し操作を検出した際に、新たにゲームソフトを起動し直すのでは無く、中断していたゲームソフトを再開してもよい。
【００４６】
ここで、電子機器１は、常に何らかのアプリケーションを実行しているとは限らない。このような場合、電子機器１は、待ち受け画面を表示していることが多い。電子機器１が待ち受け画面を表示している場合は、起動処理選択部１０２は、右方向裏返し操作又は左方向裏返し操作のいずれを検出した場合でも、予め定めたアプリケーションを起動することが望ましい。さらに、電子機器１の電源投入直後であって、１つ前に起動したアプリケーションが存在しない場合に、操作検出部１０１が左方向裏返し操作を検出した際には、起動処理選択部１０２は待ち受け画面の表示を行ってもよい。
【００４７】
次に、電子機器１の動作について説明する。図８は、電子機器１の動作の一例を示すフローチャートである。
【００４８】
ステップＳ０１において、制御部６０は、ユーザが起動したアプリケーションを実行している。ステップＳ０２において、操作検出部１０１は、ユーザが右方向裏返し操作を行ったか否かを判定する。ユーザが右方向裏返し操作を行っている場合（ステップＳ０２、Ｙｅｓ分岐）には、表示制御部１０３は現在の表示デバイスからユーザが視認可能な表示デバイスに切り替える（ステップＳ０３）。さらに、起動処理選択部１０２が、起動処理登録情報に基づいて、起動するアプリケーションを決定する（ステップＳ０４）。その後は、ステップＳ０１に戻り、起動したアプリケーションの実行を継続する。
【００４９】
同様に、ステップＳ０５において、操作検出部１０１は、ユーザが左方向裏返し操作を行ったか否かを判定する。ユーザが左回り操作を行っている場合（ステップＳ０５、Ｙｅｓ分岐）には、表示制御部１０３は現在の表示デバイスからユーザが視認可能な表示デバイスに切り替える（ステップＳ０６）。さらに、起動処理選択部１０２が、起動処理登録情報に基づいて、起動するアプリケーションを決定する（ステップＳ０７）。その後は、ステップＳ０１に戻り、起動したアプリケーションの実行を継続する。なお、図８には示していないが、実行中のアプリケーションを終了させる操作を制御部６０が検出した場合には、図８の処理を終了する。
【００５０】
ステップＳ０３及びＳ０６において、表示デバイスの切り替えを行う場合には、表示制御部１０３は、ユーザが視認できない側の表示デバイス（裏返った側の表示デバイス）の表示を消去することが望ましい。裏側の表示デバイスの表示を消去することで、電子機器１の消費電力を低減する。
【００５１】
なお、電子機器１は、第１の表示デバイス１０と第２の表示デバイス２０を備えるものとして以上の説明を行った。しかし、１つの表示デバイスを備える電子機器であっても、右回りで一回転した場合と、左回りで一回転した場合とで、起動するアプリケーションを変更してもよい。
【００５２】
本実施形態に係る電子機器１は、同等の性能及び表示面積を持つ表示デバイスで実行するアプリケーションを簡単な操作で切り替える。その結果、電子機器１の利便性を向上する。例えば、特許文献２が開示する携帯端末では、筐体をスライドさせることで携帯端末自身の大きさが変わり、携帯端末が持ち辛くなることもある。しかし、電子機器１では、表面と裏面との相違点をあえて設ける必要がないので、電子機器１が持ち辛くなるといったことは生じない。
【００５３】
さらに、特許文献２が開示する携帯端末では、見かけ上の画面の縦横比が変わり、視覚的に同じ画面状態でアプリケーションを利用できない。しかし、電子機器１が備える表示デバイスは、同じ性能及び同じ表示面積を持つので、視覚的に同じ画面状態でアプリケーションが利用できる。
【００５４】
さらにまた、特許文献２が開示する携帯端末では、両手を使用して画面を移動する等の操作が必要であり、操作上の煩わしさが存在する。しかし、電子機器１では、単に電子機器１を裏返せばよいので、操作上の煩わしさは生じない。
【００５５】
以上のように、本実施形態に係る電子機器１は、ユーザが電子機器１を右回りに裏返したのか、左回りに裏返したのか、といった単純な動作に応じて起動するアプリケーションを切り替える。その結果、電子機器１にインストールされているアプリケーションの数が多くても、ユーザが希望するアプリケーションを簡単な操作で迅速に起動することができる。また、連続的に右方向又は左方向に電子機器１を裏返すという単一動作の連続により、次々と異なるアプリケーションを起動することができる。
【００５６】
［第２の実施形態］
続いて、第２の実施形態について図面を参照して詳細に説明する。
【００５７】
第１の実施形態に係る電子機器１は、操作検出部１０１が検出したユーザの操作（右方向裏返し操作と左方向裏返し操作）と、起動処理登録情報と、に基づいて起動するアプリケーションを決定する。しかし、ユーザの操作（右方向裏返し操作又は左方向裏返し操作）に基づいて、どのようなアプリケーションを起動するかを決定する方法には種々、考えられる。本実施形態に係る電子機器２は、起動処理登録情報とは異なる方法で、起動するアプリケーションを決定する。
【００５８】
待ち受け画面上には、インストールされたアプリケーションのショートカットが配置されることがある。このような場合、起動処理選択部１０２は、ショートカットが配置された位置に応じて、起動するアプリケーションを決定することもできる。
【００５９】
図９は、待ち受け画面の領域を分割する一例を示す図である。図９では、待ち受け画面を１２分割し、各領域の位置が特定可能に構成されている。図１０は、待ち受け画面位置指定情報の一例を示す図である。
【００６０】
待ち受け画面位置指定情報には操作検出部１０１が検出したユーザの操作（右方向裏返し操作又は左方向裏返し操作）に応じて、起動するべきアプリケーションが登録されている。つまり、起動処理選択部１０２は、第１の表示デバイス１０又は第２の表示デバイス２０に表示された起動するアプリケーションに関連付けられた画像であるショートカットの表示位置に応じて、起動するアプリケーションを決定する。なお、ユーザが、待ち受け画面位置指定情報に登録するアプリケーションを変更できるように、電子機器２はメニュー画面等を設けることが望ましい。
【００６１】
このように、待ち受け画面の特定の位置に配置されたショートカットに基づいて、起動するべきアプリケーションを決定することで、ユーザが任意のアプリケーションを簡単な操作で起動することができる。また、右方向裏返し操作と左方向裏返し操作時とで、異なるアプリケーションが登録可能であるので、ユーザに対する利便性を向上させることができる。なお、図１０では、右方向裏返し操作と左方向裏返し操作時とで、異なるアプリケーションを起動する例を示したが、どちらの操作であっても同じアプリケーションを起動してもよい。
【００６２】
また、電子機器には、複数の待ち受け画面を備える機種が存在する。図１１は、電子機器２の待ち受け画面を説明するための図である。例えば、電子機器２は５種類の待ち受け画面を備えており、基本となる画面を待ち受け画面３（センタ）として管理する。ユーザは、タッチパネル等の操作部３０を使用することで、これらの各画面を切り替えることが可能である。例えば、ユーザが、指をタッチパネル上で、右方向に移動した場合には、待ち受け画面３（センタ）から待ち受け画面４（右１）に遷移させる。あるいは、ユーザが、指をタッチパネル上で、左方向に移動した場合には、待ち受け画面３（センタ）から待ち受け画面２（左１）に遷移させる。
【００６３】
従って、電子機器２が複数の待ち受け画面を備えるのであれば、待ち受け画面位置指定情報には、各待ち受け画面ごとに起動するアプリケーションを登録してもよい。図１２は、待ち受け画面位置指定情報の一例を示す図である。起動処理選択部１０２は、図１２に示すような待ち受け画面位置指定情報に基づいて、起動するアプリケーションを決定する。
【００６４】
電子機器２は、ユーザが各アプリケーションを使用する頻度に基づいて、起動するアプリケーションを決定してもよい。その際には、起動処理選択部１０２は、記憶部５０に記憶された使用履歴情報に基づいて起動するアプリケーションを決定する。
【００６５】
図１３は、使用履歴情報の一例を示す図である。起動処理選択部１０２は、操作検出部１０１が検出したユーザの操作（右方向裏返し操作又は左方向裏返し操作）と、使用履歴情報と、に基づいて起動するアプリケーションを決定する。例えば、操作検出部１０１が右方向裏返し操作を検出した場合には、最後に起動したアプリケーション（図１３では、スケジュール管理ソフト）を起動し、操作検出部１０１が左方向裏返し操作を検出した場合には、１つ前に起動したアプリケーション（図１３では、ゲームソフト）を起動する等の動作にすることが考えられる。
【００６６】
あるいは、操作検出部１０１が右方向裏返し操作を検出した場合には、最後に起動したアプリケーション（図７では、スケジュール管理ソフト）を起動し、操作検出部１０１が左方向裏返し操作を検出した場合には、利用頻度の高いアプリケーション（図１３では、カメラ）を起動してもよい。即ち、起動処理選択部１０２は、ユーザによるアプリケーションの起動に関する使用履歴情報に基づき、起動するアプリケーションを決定することができる。
【００６７】
電子機器２は使用履歴情報を利用することで、ユーザが意識して起動するアプリケーションを選択しなくとも、ユーザが使用を望むと思われるアプリケーションを自動的に判断し、起動することができる。即ち、利便性の高い電子機器が提供できる。
【００６８】
起動処理選択部１０２が、起動する処理は、インストールされたアプリケーションに限られない。例えば、電子機器２が複数の待ち受け画面を備えるのであれば、起動処理選択部１０２は、待ち受け画面の切り替えをユーザの操作（右方向裏返し操作と左方向裏返し操作）に応じて行ってもよい。
【００６９】
起動処理選択部１０２は、アプリケーション検索画面やアプリケーションの一覧（メニュー）を表示してもよい。あるいは、起動処理選択部１０２は、バスワード入力画面やセキュリティロック画面等を表示する処理を起動してもよい。
【００７０】
さらに、電子機器２が、バスワード入力画面やセキュリティロック画面等を表示させている場合にはアプリケーションを起動することができないのが通常である。そこで、操作検出部１０１がユーザの操作（右方向裏返し操作と左方向裏返し操作）を検出した場合には、表示制御部１０３は、全ての表示を消去することもできる。あるいは、起動処理選択部１０２は、セキュリティロック画面を保持しつつ、セキュリティロック画面に表示されている背景画像を切り替えて表示する等の対応も可能である。
【００７１】
起動処理選択部１０２が選択する処理は、同一のアプリケーション内での処理とすることもできる。例えば、ユーザは、ブラウザソフトを起動することで、ＨＴＭＬ文書の閲覧が可能である。また、ブラウザソフトは、複数のタブにおいて異なるＨＴＭＬ文書を表示させることが可能である。そこで、操作検出部１０１がユーザの操作（右方向裏返し操作と左方向裏返し操作）を検出した場合には、起動処理選択部１０２は、タブを順次切り替えてもよい。より具体的には、操作検出部１０１が右方向裏返し操作を検出した場合には、起動処理選択部１０２は現在表示されていたタブの右隣のタブ内容を表示する。操作検出部１０１が左方向裏返し操作を検出した場合には、起動処理選択部１０２は現在表示されていたタブの左隣のタブ内容を表示する等の対応が可能である。
【００７２】
電子機器には、特定のデータ（例えば、テキストファイルなど）に対し、実行可能なアプリケーションの一覧が可能な機種が存在する。電子機器２が、このような機能を備えていれば、特定のデータが選択されている状態で、電子機器２を裏返した際に、その特定のデータを操作できるアプリケーションのメニューを表示することもできる。
【００７３】
また、特定のアプリケーションで使用している際に、別のアプリケーションの起動を望む場合がある。例えば、ブラウザソフトを使用している場合にメールアドレスが表示され、この表示されたメールアドレスに対してメールの送信を行いたい場合などである。そこで、電子機器２を裏返した場合に、起動処理選択部１０２は表示されているデータに応じて、裏返された表示面で起動するアプリケーションを決定してもよい。その結果、特定のデータと関連付けられたアプリケーションの起動を迅速に行うことができ、利便性が向上する。
【００７４】
また、特定のアプリケーションを実行している最中に、他のアプリケーションが使用するデータの通知がされることがある。例えば、ゲームソフトを実行中に、メールが着信した旨の通知がされることがある。このような場合、メールの件名等が表示されることがあっても、メールの内容を即座に確認することはできない。そこで、アプリケーションを実行している最中に、他のアプリケーションが使用するデータの通知がなされた状態で、電子機器２を裏返すと、起動処理選択部１０２は、通知されたデータに関連付けされたアプリケーションを起動することもできる。その結果、ユーザによるアプリケーションの指定がなくとも、電子機器２を裏返すといった簡単な操作で通知されたデータに関する内容を確認することができる。
【００７５】
このように、起動処理選択部１０２が決定する処理には、アプリケーションの起動、待ち受け画面の切り替え、同一アプリケーションでの表示内容の切り替え、メニュー画面への遷移、セキュリティロック画面の表示、のうち少なくともいずれかが含まれる。
【００７６】
本実施形態に係る電子機器２は、起動処理登録情報とは異なる情報を用いて、起動するアプリケーション（実行する処理）を決定することができる。その結果、より利便性の高い電子機器を提供することができる。
【００７７】
［第３の実施形態］
続いて、第３の実施形態について図面を参照して詳細に説明する。
【００７８】
第１及び第２の実施形態では、角速度センサ４０は１軸の回転を検出可能であることを前提として電子機器１及び２の説明を行った。しかし、角速度センサ４０として、２軸又は３軸の回転を検出可能な角速度センサを使用することができる。そこで、本実施形態に係る電子機器３が備える角速度センサ４０は２軸又は３軸の回転が検出可能とする。
【００７９】
例えば、２軸を中心とした回転が検出可能な角速度センサを採用した場合には、図６のＸ軸とＹ軸の回転が検出可能となるように、角速度センサ４０を配置する。すると、操作検出部１０１は、右方向裏返し操作又は左方向裏返し操作に限らず、上方向裏返し操作や下方向裏返し操作も検出可能となる。そこで、起動処理選択部１０２は、これら上方向裏返し操作や下方向裏返し操作に応じて、起動するアプリケーションを変更してもよい。つまり、起動処理選択部１０２は、２軸のいずれを中心とした回転であるかと、右方向又は左方向のいずれかの回転方向と、に基づいて起動するアプリケーションを変更（実行する処理を決定）することができる。即ち、起動処理選択部１０２は、４つのパラメータ（２本の回転軸及び２つの裏返す方向）に基づいて、起動する処理を決定することができる。
【００８０】
さらに、角速度センサ４０が３軸の回転を検出可能であれば、図６に示すＺ軸回りの回転も考慮し、電子機器３の画面表示等を切り替えることが考えられる。電子機器３をＺ軸回りに回転させると、電子機器３を使用するユーザから見ると表示内容の天地が逆転した状態となる。一人のユーザが、このような状態で電子機器３を使用することは考え辛く、Ｚ軸を中心とした回転が起きた場合は、ユーザと向かい合っている他の人に電子機器３を手渡したと考えることが妥当である。その際、向かいの人に電子機器３を手渡す前に切り替えたアプリケーションに戻そうとする場合に、Ｚ軸を中心とした回転を考慮すると電子機器３の利便性を高めることも可能である。
【００８１】
図１４は、電子機器３の表示内容の一例を示す図である。ユーザは、当初、図１４（ａ）に示すように、表面でメールソフトを実行していたとする。次に、電子機器３に対し右方向裏返し操作をすることで、ゲームソフトを起動し、裏面でその表示内容を確認していたとする（図１４（ｂ）参照）。この状態で、ユーザは、電子機器３をＺ軸回りに回転し、向かい合っている他の人に手渡したとする。最初に電子機器３を使用していたユーザは、この状態を図１４（ｃ）のように視認する。
【００８２】
この図１４（ｃ）の状態から、当初のメールソフトに切り替えたい（表面を使用したい）とユーザが考えた場合には、電子機器１に対して右方向裏返し操作をしなければならない。しかし、最初に電子機器３を使用していたユーザは、１つ前のアプリケーションに戻すには左方向裏返し操作時をすべきと考えるのが通常である。つまり、Ｚ軸回りの回転を考慮しなければ、１つ前のアプリケーションに戻す操作と、ユーザが感じる操作に齟齬が生じている。
【００８３】
そこで、電子機器３は、Ｚ軸を起点にして、表示の天地が切り替わったと判断した場合には、その後のアプリケーションの切り替え操作を入れ替えることが望ましい。ただし、ユーザが電子機器３を向かい合っている他の人に手渡した後、その人の側に移動した場合には、１つ前のアプリケーションに戻す操作とユーザが感じる操作に齟齬は生じない。従って、Ｚ軸の回転を考慮して、その後のアプリケーションの切り替えを行うか否かを決定するメニューや、トグル釦やスライド釦等のキーを使用し、ユーザに対し、Ｚ軸の回転を考慮するか否かを決定できるインターフェイスを提供してもよい。より具体的には、釦が押されている状態であれば、Ｚ軸を中心とした回転を考慮し、釦が押されていなければ、Ｚ軸を中心とした回転を考慮しないとしてもよい。
【００８４】
以上のように、２軸以上の回転を考慮に入れることで、より利便性の高い電子機器を提供することができる。
【００８５】
上記の実施形態の一部又は全部は、以下の付記のようにも記載され得るが、以下には限られない。
【００８６】
［付記１］上記第１の視点に係る電子機器のとおりである。
［付記２］
前記第１又は第２の処理には、アプリケーションの起動、待ち受け画面の切り替え、同一アプリケーションでの表示内容の切り替え、メニュー画面への遷移、セキュリティロック画面の表示、のうち少なくともいずれかを含む付記１の電子機器。
［付記３］
前記起動処理選択部は、
前記操作検出部が、前記第１の回転操作を検出するたびに、予め定められた第１の順序に従って、アプリケーションを起動する付記１又は２の電子機器。
［付記４］
前記起動処理選択部は、
前記操作検出部が、前記第２の回転操作を検出するたびに、前記第１の順序の逆の順序で、アプリケーションを起動する付記３の電子機器。
［付記５］
前記起動処理選択部は、
前記第１又は第２の表示部に表示されたアプリケーションに関連付けられた画像の表示位置に応じて、起動するアプリケーションを決定する付記１乃至４のいずれか一に記載の電子機器。
［付記６］
前記起動処理選択部は、ユーザによるアプリケーションの起動に関する履歴情報に基づき、起動するアプリケーションを決定する付記１乃至５のいずれか一に記載の電子機器。
［付記７］
前記表示制御部は、前記筐体が回転した後の前記第１の表示部の表示を消去する付記１乃至６のいずれか一に記載の電子機器。
［付記８］
前記回転移動検出部は、
前記第１の回転軸を中心とした前記筐体の回転移動の検出に加え、前記第１の表示部と平行、かつ、前記第１の回転軸と直交する第２の回転軸を中心とした前記筐体の回転移動を検出し、
起動処理選択部は、前記筐体が、前記第１又は第２の回転軸を中心とした回転であるかと、前記第１又は第２の方向と、の組み合わせよって定まる回転操作に基づき、実行する処理を決定する付記１乃至７のいずれか一に記載の電子機器。
［付記９］上記第２の視点に係る電子機器の制御方法のとおりである。
［付記１０］
前記第１又は第２の処理には、アプリケーションの起動、待ち受け画面の切り替え、同一アプリケーションでの表示内容の切り替え、メニュー画面への遷移、セキュリティロック画面の表示、のうち少なくともいずれかを含む付記９の電子機器の制御方法。
［付記１１］
前記起動処理選択工程は、
前記第１の回転操作が検出されるたびに、予め定められた第１の順序に従って、アプリケーションを起動する付記９又は１０の電子機器の制御方法。
［付記１２］
前記起動処理選択工程は、
前記第２の回転操作が検出されるたびに、前記第１の順序の逆の順序で、アプリケーションを起動する付記１１の電子機器の制御方法。
［付記１３］
前記起動処理選択工程は、
前記第１又は第２の表示部に表示されたアプリケーションに関連付けられた画像の表示位置に応じて、起動するアプリケーションを決定する付記９乃至１２のいずれか一に記載の電子機器の制御方法。
［付記１４］
前記起動処理選択工程は、ユーザによるアプリケーションの起動に関する履歴情報に基づき、起動するアプリケーションを決定する付記９乃至１３のいずれか一に記載の電子機器の制御方法。
［付記１５］
前記表示制御工程は、前記筐体が回転した後の前記第１の表示部の表示を消去する付記９乃至１４のいずれか一に記載の電子機器の制御方法。
［付記１６］
前記回転移動検出部は、
前記筐体が、前記第１の表示部と第１の方向に平行な第１の軸を中心とした回転と、前記第１の表示部と平行、かつ、前記第１の方向と直交する第２の軸を中止とした回転と、を検出し、
起動処理選択工程は、前記第１又は第２の軸を中心としたか回転と、前記第１又は第２の方向と、の組み合わせよって定まる回転操作に基づき実行する処理を決定する付記９乃至１５のいずれか一に記載の電子機器の制御方法。
［付記１７］上記第３の視点に係るプログラムのとおりである。
［付記１８］
前記第１又は第２の処理には、アプリケーションの起動、待ち受け画面の切り替え、同一アプリケーションでの表示内容の切り替え、メニュー画面への遷移、セキュリティロック画面の表示、のうち少なくともいずれかを含む付記１７のプログラム。
［付記１９］
前記起動処理選択処理は、
前記第１の回転操作が検出されるたびに、予め定められた第１の順序に従って、アプリケーションを起動する付記１７又は１８のプログラム。
［付記２０］
前記起動処理選択処理は、
前記第２の回転操作が検出されるたびに、前記第１の順序の逆の順序で、アプリケーションを起動する付記１９のプログラム。
［付記２１］
前記起動処理選択処理は、
前記第１又は第２の表示部に表示されたアプリケーションに関連付けられた画像の表示位置に応じて、起動するアプリケーションを決定する付記１７乃至２０のいずれか一に記載のプログラム。
［付記２２］
前記起動処理選択処理は、ユーザによるアプリケーションの起動に関する履歴情報に基づき、起動するアプリケーションを決定する付記１７乃至２１のいずれか一に記載のプログラム。
［付記２３］
前記表示制御処理は、前記筐体が回転した後の前記第１の表示部の表示を消去する付記１７乃至２２のいずれか一に記載のプログラム。
［付記２４］
前記回転移動検出部は、
前記筐体が、前記第１の表示部と第１の方向に平行な第１の軸を中心とした回転と、前記第１の表示部と平行、かつ、前記第１の方向と直交する第２の軸を中止とした回転と、を検出し、
起動処理選択処理は、前記第１又は第２の軸を中心としたか回転と、前記第１又は第２の方向と、の組み合わせよって定まる回転操作に基づき実行する処理を決定する付記１７乃至２３のいずれか一に記載のプログラム。
【００８７】
なお、引用した上記の特許文献等の各開示は、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素（各請求項の各要素、各実施形態ないし実施例の各要素、各図面の各要素等を含む）の多様な組み合わせ、ないし、選択が可能である。すなわち、本発明は、請求の範囲を含む全開示、技術的思想にしたがって当業者であればなし得るであろう各種変形、修正を含むことは勿論である。
【符号の説明】
【００８８】
１〜３、２００  電子機器
１０  第１の表示デバイス
１１  第１の表示ドライバ
２０  第２の表示デバイス
２１  第２の表示ドライバ
３０  操作部
４０  角速度センサ
５０  記憶部
６０  制御部
１０１、２０４  操作検出部
１０２、２０５  起動処理選択部
１０３、２０６  表示制御部
２０１  第１の表示部
２０２  第２の表示部
２０３  回転移動検出部
【図１】
2013258620.tif 000003
【図２】
2013258620.tif 000004
【図３】
2013258620.tif 000005
【図４】
2013258620.tif 000006
【図５】
2013258620.tif 000007
【図６】
2013258620.tif 000008
【図７】
2013258620.tif 000009
【図８】
2013258620.tif 000010
【図９】
2013258620.tif 000011
【図１０】
2013258620.tif 000012
【図１１】
2013258620.tif 000013
【図１２】
2013258620.tif 000014
【図１３】
2013258620.tif 000015
【図１４】
2013258620.tif 000016